(57)【要約】【課題】ハウジングとグローブとを互いに移動不能に固定する係合機構を好適に設けることができ、かつ薄型化できるケース及び照明装置を提供する。【解決手段】内部に配置した発光体から発せられる光をその一部から透過して照明を行う照明装置１１のケース１２であって、側壁部２２及び底部２１を有し該底部２１とは反対側が開口した箱状のハウジング１７と、側壁部３２及び底部３１を有し該底部３１とは反対側が開口した箱状のグローブ１８と、ハウジング１７の側壁部２２より内側でかつハウジング１７の内底面２１ａに形成された引掛部６５と、グローブ１８の側壁部３２より内側でかつグローブ１８の内底面３１ｂから突出するように形成された係止体６６とを備え、係止体６６と引掛部６５とを互いに係合することにより、ハウジング１７とグローブ１８とを互いに移動不能に固定した。【選択図】      図７
2006114392.tif 000002
【特許請求の範囲】
【請求項１】
内部に配置した発光体から発せられる光をその一部から透過して照明を行う照明装置のケースであって、
側壁部及び底部を有し該底部とは反対側が開口した箱状のハウジングと、
側壁部及び底部を有し該底部とは反対側が開口した箱状のグローブと、
前記ハウジングの前記側壁部より内側でかつ該ハウジングの内面に設けられた第１係合部と、
前記グローブの前記側壁部より内側でかつ該グローブの内面に設けられ前記第１係合部に係合する第２係合部とを備え、
前記第１係合部及び前記第２係合部のうちの一方が係止体であり、もう一方が前記係止体を引っかける引掛部であり、
前記係止体と前記引掛部とを互いに係合することにより、前記ハウジングと前記グローブとを互いに移動不能に固定したことを特徴とする照明装置のケース。
【請求項２】
前記係止体の基端部と該基端部に隣接した前記側壁部とを連結するリブを備え、
前記引掛部には前記リブと係合する係合凹部を備えたことを特徴とする請求項１に記載の照明装置のケース。
【請求項３】
前記ハウジングの内面に設けられた第３係合部と、
前記グローブの内面に設けられ前記第３係合部に係合する第４係合部とを備え、
前記第３係合部及び前記第４係合部のうちの一方が掛止体であり、もう一方が前記掛止体を引っかける掛止部であり、
前記係止体及び前記引掛部は、前記ハウジングにおける一端側に設けられ、
前記掛止体及び前記掛止部は、前記ハウジングにおける一端側とは反対側である他端側に設けられ、
前記係止体と前記引掛部とを互いに係合することにより、前記ハウジングの一端側と前記グローブの一端側とを互いに移動不能に固定し、
前記掛止体と前記掛止部とを互いに係合することにより、前記ハウジングの他端側と前記グローブの他端側とを互いに移動不能に固定したことを特徴とする請求項１又は請求項２に記載の照明装置のケース。
【請求項４】
前記ハウジングの内面には、その一端側とその他端側との間に位置する第５係合部が設けられ、
前記グローブの内面には、その一端側とその他端側との間に位置し前記第５係合部と係合する第６係合部が設けられ、
前記第５係合部と前記第６係合部とを互いに係合することにより、前記ハウジングにおける前記第５係合部が設けられた部分と前記グローブにおける前記第６係合部が設けられた部分とを互いに移動不能に固定したことを特徴とする請求項３に記載の照明装置のケース。
【請求項５】
請求項１乃至請求項４のうちいずれか１項に記載の照明装置のケースと、
該照明装置のケースの内部に配置された発光体とを備えたことを特徴とする照明装置。
【発明の詳細な説明】
【技術分野】
【０００１】
本発明は、例えば車両用照明装置、家庭用照明装置、照明看板等の照明装置のケース及び照明装置に関するものである。
【背景技術】
【０００２】
従来、蛍光管を用いて照明を行う照明装置が知られている。この照明装置は、例えば車両内の天井に備え付けられ、車両のドアが開いた場合や、ユーザがスイッチをオン操作した場合に蛍光管が点灯するようになっている。この照明装置は、ケースと、ケース内に収容された前記蛍光管とを備えている。図１４は、このケースを図示したものである。ケース１０１は、車両の天井に固定されるハウジング１０２と、ハウジング１０２に対して着脱可能に構成されたグローブ１０３とを備えている。ハウジング１０２は、４つの側壁部１０２ａ（図１４では一つのみ図示）及び底部１０２ｂを備えている。グローブ１０３は、４つの側壁部１０３ａ（図１４では一つのみ図示）及び底部１０３ｂを備えている。グローブ１０３の側壁部１０３ａの端面１０４には、先端に係止爪１０５ａを有する係止体１０５が形成されている。ハウジング１０２の側壁部１０２ａの内側面１０２ｃには、前記係止爪１０５ａと係合可能な凹部１０６が形成されている。この係止爪１０５ａと凹部１０６とを係合することにより、ハウジング１０２とグローブ１０３とが嵌め合わされ、ケース１０１を構成するようになっている。
【発明の開示】
【発明が解決しようとする課題】
【０００３】
ところが、上記ケース１０１では、係止体１０５をグローブ１０３の側壁部１０３ａの端面１０４に形成していたため、必然的にケース１０１の厚みが厚くなり、この結果、照明装置の厚みが厚くなってしまうという問題があった。
【０００４】
本発明は、前述した事情に鑑みてなされたものであって、その目的はハウジングとグローブとを互いに移動不能に固定する係合機構を好適に設けることができ、かつ薄型化できる照明装置のケース及び照明装置を提供することにある。
【課題を解決するための手段】
【０００５】
上記目的を達成するために、請求項１に記載の発明は、内部に配置した発光体から発せられる光をその一部から透過して照明を行う照明装置のケースであって、側壁部及び底部を有し該底部とは反対側が開口した箱状のハウジングと、側壁部及び底部を有し該底部とは反対側が開口した箱状のグローブと、前記ハウジングの前記側壁部より内側でかつ該ハウジングの内面に設けられた第１係合部と、前記グローブの前記側壁部より内側でかつ該グローブの内面に設けられ前記第１係合部に係合する第２係合部とを備え、前記第１係合部及び前記第２係合部のうちの一方が係止体であり、もう一方が前記係止体を引っかける引掛部であり、前記係止体と前記引掛部とを互いに係合することにより、前記ハウジングと前記グローブとを互いに移動不能に固定した。
【０００６】
請求項２に記載の発明は、請求項１に記載の発明において、前記係止体の基端部と該基端部に隣接した前記側壁部とを連結するリブを備え、前記引掛部には前記リブと係合する係合凹部を備えた。
【０００７】
請求項３に記載の発明は、請求項１又は請求項２に記載の発明において、前記ハウジングの内面に設けられた第３係合部と、前記グローブの内面に設けられ前記第３係合部に係合する第４係合部とを備え、前記第３係合部及び前記第４係合部のうちの一方が掛止体であり、もう一方が前記掛止体を引っかける掛止部であり、前記係止体及び前記引掛部は、前記ハウジングにおける一端側に設けられ、前記掛止体及び前記掛止部は、前記ハウジングにおける一端側とは反対側である他端側に設けられ、前記係止体と前記引掛部とを互いに係合することにより、前記ハウジングの一端側と前記グローブの一端側とを互いに移動不能に固定し、前記掛止体と前記掛止部とを互いに係合することにより、前記ハウジングの他端側と前記グローブの他端側とを互いに移動不能に固定した。
【０００８】
請求項４に記載の発明は、請求項３に記載の発明において、前記ハウジングの内面には、その一端側とその他端側との間に位置する第５係合部が設けられ、前記グローブの内面には、その一端側とその他端側との間に位置し前記第５係合部と係合する第６係合部が設けられ、前記第５係合部と前記第６係合部とを互いに係合することにより、前記ハウジングにおける前記第５係合部が設けられた部分と前記グローブにおける前記第６係合部が設けられた部分とを互いに移動不能に固定した。
【０００９】
請求項５に記載の発明は、請求項１乃至請求項４のうちいずれか１項に記載の照明装置のケースと、該照明装置のケースの内部に配置された発光体とを備えた。
（作用）
請求項１に記載の発明によれば以下に示す作用を得る。この照明装置のケース（以下、本発明のケースという）は、係止体（以下、本発明の係止体という）をハウジング（又はグローブ）の側壁部の内側に設け、引掛部をグローブ（又はハウジング）の側壁部の内側に設けた。そのため、本発明のケースは、例えば、ハウジングの側壁部の端面に係止体（以下、従来の係止体という）を形成し、グローブの側壁部の内側面に従来の係止体と係合可能な凹部を形成した照明装置のケース（以下、従来のケースという）に比して以下の作用を得ることができる。本発明のケースは、本発明の係止体と、従来の係止体との長さが同じであっても、従来のケースに比して薄型に構成することが可能となる。
【００１０】
請求項２に記載の発明によれば、請求項１に記載の発明の作用に加えて以下に示す作用を得る。リブと係合凹部とが係合することによりハウジングとグローブとの位置決めが行われる。よって、ハウジングとグローブとを好適に互いに移動不能に固定することが可能となる。
【００１１】
請求項３に記載の発明によれば、請求項１又は請求項２に記載の発明の作用に加えて以下に示す作用を得る。照明装置のケースは、係止体と引掛部とを互いに係合することにより、ハウジングの一端側とグローブの一端側とが互いに移動不能に固定されている。照明装置のケースは、掛止体と掛止部とを互いに係合することにより、ハウジングの他端側とグローブの他端側とが互いに移動不能に固定されている。即ち、ハウジングとグローブとにおいて、一端側と他端側とが互いに固定されている。よって、照明装置のケースは、ハウジングとグローブとが互いに離れにくく、剛性を好適に維持することが可能となる。
【００１２】
請求項４に記載の発明によれば、請求項３に記載の発明の作用に加えて以下に示す作用を得る。第５係合部と第６係合部とを互いに係合することにより、ハウジングにおける第５係合部が設けられた部分とグローブにおける第６係合部が設けられた部分とが互いに移動不能に固定される。即ち、ハウジングとグローブとにおいて、一端側、他端側、さらには一端側と他端側との間が互いに固定されているため、この結果、照明装置のケースは剛性をよりいっそう好適に維持することが可能となる。
【００１３】
請求項５に記載の発明によれば、請求項１乃至請求項４のうちいずれか１項に記載の作用を有する照明装置を構成することが可能となる。
【発明の効果】
【００１４】
本発明によれば、ハウジングとグローブとを互いに移動不能に固定する係合機構を好適に設けることができ、かつ薄型化できる。
【発明を実施するための最良の形態】
【００１５】
以下、本発明を車両用の照明装置に具体化した一実施形態を図１〜図１２に従って説明する。
図１（ａ）は、本実施形態の照明装置１１の正面図であり、図１（ｂ）は、照明装置１１の側面図である。
【００１６】
図２に示すように、照明装置１１は、ケース１２、板状をなす平面型放電管１３、押さえ具１４、回路ユニット１５、操作ツマミ１６を備えている。平面型放電管１３は、発光体に相当する。ケース１２は、厚さが薄い略長方形箱状に形成されている。ケース１２は、ハウジング１７と、該ハウジング１７に凹凸の関係で取り付けられるグローブ１８とを備えている。
【００１７】
図４に示すように、ハウジング１７は、合成樹脂にて形成され、かつ光を通さない材質とされている。ハウジング１７は、平面視略長方形状の底部２１と、その底部２１の四辺に一体に形成された側壁部２２，２３，２４，２５を備えている。底部２１は、一対の長辺Ｈ１と一対の短辺Ｈ２とを備えている。言い換えると、ハウジング１７は、底部２１を有し、底部２１とは反対側が開口した箱状に形成されている。
【００１８】
図２に示すように、グローブ１８は、長方形枠状をなす枠体２６と、その枠体２６の枠内に凹凸の関係で取り付けられた平面視略長方形状のレンズ２７とを備えている。枠体２６は、合成樹脂にて形成され、かつ光を通さない材質とされている。レンズ２７は透光性を備えた合成樹脂にて形成されている。
【００１９】
図５に示すように、枠体２６は、略長方形枠状の底部３１と、その底部３１の四辺に一体に形成された側壁部３２，３３，３４，３５を備えている。即ち、グローブ１８の底部は、枠体２６の底部３１とレンズ２７とにより構成されている。また、枠体２６の側壁部３２〜３５は、グローブ１８の各側壁部にも相当する。言い換えると、グローブ１８は、底部３１を有し、底部３１とは反対側が開口した箱状に形成されている。図２に示すように、枠体２６の底部３１は、その外縁部３１ａが斜状に形成されている。外縁部３１ａは、外端へ向かうほどハウジング１７に近づくような斜状に形成されている。
【００２０】
図３（ｂ）に示すように、レンズ２７の内底面には、複数の四角錐状の窪部２７ａが互いに隙間無く形成されている。この窪部２７ａは、レンズ２７において、平面型放電管１３と対向する部分全体に亘って形成されている。この複数の窪部２７ａが形成されたレンズ２７は、照明装置１１内から照明装置１１外へ向けて透過する光を散乱させる光散乱性を備えている。
【００２１】
図３（ａ）に示すように、ハウジング１７は、グローブ１８に対して凹凸の関係で取り付けられており、この結果、側壁部２２〜２５と側壁部３２〜３５とがそれぞれ対応するように突き合わされている。なお、図３（ａ）では、側壁部２２と側壁部３２との突き合わせ状態、側壁部２４と側壁部３４との突き合わせ状態のみ示している。ハウジング１７とグローブ１８とがなす空間内には、平面型放電管１３、押さえ具１４、回路ユニット１５、操作ツマミ１６が配置されている。平面型放電管１３と回路ユニット１５は、図３（ａ）において左右方向に隣り合うようにして配置されている。即ち、回路ユニット１５は、平面型放電管１３を基準としてケース１２の厚さ方向Ｔと直交する方向側に配置されている。
【００２２】
図２に示すように、回路ユニット１５は、回路基板４０、トランス４１、コネクタ４２、スライドスイッチ４３を備えている。トランス４１、コネクタ４２、及びスライドスイッチ４３は、回路基板４０のグローブ１８側の面（以下、載置面４０ａという）に搭載されている。詳しく図示はしないが、コネクタ４２は、電線４４（図２及び図３（ｃ）参照）を介して平面型放電管１３と電気的に接続されている。
【００２３】
スライドスイッチ４３は、回路基板４０に固定された本体部４３ａと、本体部４３ａに対してスライド移動可能な可動部４３ｂとを備えている。可動部４３ｂには、操作ツマミ１６が固定されている。操作ツマミ１６は、操作部１６ａを備えている。操作部１６ａは、枠体２６に形成された透孔２６ａを介して照明装置１１外へ露出されており、ユーザによってスライド操作可能とされている。
【００２４】
この回路ユニット１５は、照明装置１１外から供給された電力を、平面型放電管１３へ供給制御するためのものである。照明装置１１は、操作部１６ａの位置（スライド位置）に応じて、平面型放電管１３を点灯させたり消灯させたりするようになっている。また、照明装置１１は、操作部１６ａの位置によっては、車両のドアが開いた際に平面型放電管１３を点灯させ、そのドアが閉じた際に該平面型放電管１３を消灯するようになっている。
【００２５】
平面型放電管１３は、公知の平面型放電管である。その構造を簡単に説明すると、図３（ｃ）に示すように、平面型放電管１３は、第１ガラス基板５０、第２ガラス基板５１、両ガラス基板５０，５１の周縁部に固定されると共に両ガラス基板５０，５１の離間距離を保つためのガラス材５２を備えている。両ガラス基板５０，５１及びガラス材５２にて密閉された空間である放電空間Ｋには、キセノンまたはネオン等の不活性ガスが封入されている。両ガラス基板５０，５１は互いに対向する面に蛍光体膜５３，５４がそれぞれ形成されている。両ガラス基板５０，５１は蛍光体膜５３，５４が形成された面とは反対側の面に透明電極５５，５６がそれぞれ形成されている。透明電極５５，５６の外面には、導電体５７，５８がそれぞれ取り付けられており、その導電体５７，５８の外面には、前記電線４４がそれぞれハンダ付けにより固定されている。また、透明電極５５及び導電体５７の外面には、反射膜５９が形成されている。
【００２６】
このように構成された平面型放電管１３は、回路ユニット１５によって両透明電極５５，５６間に高電圧が印加されると、両透明電極５５，５６間の放電により放電空間Ｋ内にて紫外線を発生する。この紫外線は蛍光体膜５４を透過することにより可視光に変換され、その可視光は第２ガラス基板５１及び透明電極５６を透過することにより照明光となる。また、蛍光体膜５３を透過した紫外線は可視光に変換され、その可視光は第１ガラス基板５０及び透明電極５５を透過する。そして、その可視光は、反射膜５９にて反射され、透明電極５５、第１ガラス基板５０、蛍光体膜５３、放電空間Ｋ、蛍光体膜５４、第２ガラス基板５１、透明電極５６を透過して照明光となる。
【００２７】
即ち、平面型放電管１３は、そのグローブ１８側の面（以下、表面１３ａという）が発光し、その底部２１側の面（以下、裏面１３ｂという）が発光しないように構成されている。
【００２８】
次に、ハウジング１７とグローブ１８との凹凸の関係での取付構造について詳述する。
ケース１２は、一対の第１係合機構６１（図７（ａ）参照）、一対の第２係合機構６２（図８（ａ）参照）、一対の第３係合機構６３（図１１参照）を備えている。
【００２９】
図１に示すように、第１係合機構６１は、ケース１２における長手方向Ｌの一端側に形成され、第２係合機構６２は、ケース１２における長手方向Ｌのもう一端側に形成されている。第３係合機構６３、ケース１２における長手方向Ｌの中央に形成されている。
【００３０】
以下、ケース１２における第１係合機構６１が形成されている側を一端側Ｅ１といい、ケース１２における第２係合機構６２が形成されている側を他端側Ｅ２という。
一対の第１係合機構６１は、ケース１２における短手方向Ｓにおいて互いに離間するように形成されている。一対の第２係合機構６２における互いの関係においても同様である。一対の第３係合機構６３は、側壁部３３，３５に隣接した外縁部３１ａの長手方向Ｌの中央部に対応するようにそれぞれ形成されている。ハウジング１７とグローブ１８とが、この第１〜第３係合機構６１〜６３により凹凸の関係で取り付けられている。
【００３１】
次に、第１係合機構６１について詳述する。
図６（ａ）〜（ｆ）及び図７（ａ），（ｂ）に示すように、第１係合機構６１は、ハウジング１７の底部２１の内底面（内面）２１ａから突出するように形成された引掛部６５と、枠体２６の外縁部３１ａの内底面（内面）３１ｂから突出するように形成された４つの係止体６６とにより構成されている。引掛部６５は第１係合部に相当し、係止体６６は第２係合部に相当する。
【００３２】
各係止体６６は、板状でかつ鉤形にそれぞれ形成されている。各係止体６６の先端には、係止爪６６ａがそれぞれ形成されている。引掛部６５の係止爪６６ａ側の側面には凹部６５ａが形成されている。ケース１２の一端側Ｅ１では、前記４つの係止爪６６ａが凹部６５ａに係合し、かつ側壁部２２と側壁部３２とが当接していることにより、ハウジング１７とグローブ１８との厚さ方向Ｔにおける相対移動を不能としている。
【００３３】
枠体２６には、各係止体６６の基端部と側壁部３２とを一体に連結する板状をなすリブ６７がそれぞれ形成されている。図６（ｅ）に示すように、リブ６７の板厚は、係止体６６の板厚と同じになるように形成されている。また、枠体２６には、隣り合う係止体６６の基端部同士を一体に連結する連結リブ６８が形成されている。外縁部３１ａ、側壁部３２、４つのリブ６７、３つの連結リブ６８により、凹状をなす３つのヒケ防止凹部６９が形成されている。
【００３４】
一方、図６（ａ），（ｂ）に示すように、引掛部６５のグローブ１８側の面には、４つのリブ６７とそれぞれ係合する係合凹部７０が形成されている。前記４つの係合凹部７０のうち短手方向Ｓにおける両端に位置する係合凹部７０（以下、係合凹部７０ａという）は、一つの底面と一つの側面とを備えている。
【００３５】
また、４つの係合凹部７０のうち係合凹部７０ａ以外の係合凹部７０（以下、係合凹部７０ｂという）は、一つの底面と互いに向かい合う一対の側面とを備えている。係合凹部７０ａ，７０ｂの側面とリブ６７とが当接していることにより、短手方向Ｓにおけるハウジング１７とグローブ１８との相対移動を不能としている。
【００３６】
次に、第２係合機構６２について詳述する。
図５及び図８（ａ）に示すように、第２係合機構６２は、ハウジング１７の側壁部２４の内側面（内面）２４ａに形成された凹状をなす掛止部７５と、外縁部３１ａの内底面（内面）３１ｂから突出するように形成された４つの掛止体７６とにより構成されている。掛止部７５は第３係合部に相当し、掛止体７６は第４係合部に相当する。
【００３７】
各掛止体７６は、板状でかつ鉤形にそれぞれ形成されている。各掛止体７６の先端には、掛止爪７６ａがそれぞれ形成されている。各掛止体７６の基端側は側壁部３４に一体に連結されている。ケース１２の他端側Ｅ２では、前記４つの掛止爪７６ａが掛止部７５に係合し、かつ図８（ｂ）に示すように、側壁部２４と側壁部３４とが当接していることにより、ハウジング１７とグローブ１８との厚さ方向Ｔにおける相対移動を不能としている。
【００３８】
次に、第３係合機構６３について詳述する。
第３係合機構６３は、図９及び図１０に示すハウジング１７に形成された係合部７７と、図５及び図１０に示す枠体２６の内底面（内面）３１ｃから突出するように形成された係合体７８とにより構成されている。係合部７７は第５係合部に相当し、係合体７８は第６係合部に相当する。
【００３９】
図９に示すように、ハウジング１７の底部２１には、内底面２１ａから突出する内壁部７９が形成されている。係合部７７は、Ｌ字状をなしており、その一端がハウジング１７の底部２１に一体に連結され、そのもう一端が内壁部７９に一体に連結されている。
【００４０】
図１０に示すように、係合体７８の先端には、係合爪７８ａが形成されている。図１１に示すように、ケース１２の長手方向Ｌの中央では、係合爪７８ａが係合部７７に係合し、かつ側壁部２３と側壁部３３とが（側壁部２５と側壁部３５とが）当接していることにより、ハウジング１７とグローブ１８との厚さ方向Ｔにおける相対移動を不能としている。
【００４１】
従って、本実施形態によれば、以下の効果・効果を得ることができる。
（１）照明装置１１のケース１２は、係止体６６をグローブ１８の側壁部３２の内側に形成し、引掛部６５をハウジング１７の側壁部２２の内側に形成した。このハウジング１７、グローブ１８、側壁部２２、側壁部３２、引掛部６５、係止体６６を備えたケース１２を模式的に示すと、図１２（ａ）に示すようになる。さらに詳しく述べると、グローブ１８には、斜状の外縁部３１ａを備えているため、この外縁部３１ａをも備えたケース１２を模式的に示すと、図１２（ｂ）に示すようになる。
【００４２】
図１２（ａ），（ｂ）に示すように、本実施形態におけるケース１２の係止体６６の撓み可能部分の長さ（厚さ方向Ｔの長さ）を長さＮとし、図１４に示すように、従来におけるケース１０１の係止体１０５の撓み可能部分の長さ（厚さ方向Ｔの長さ）を同様に長さＮとすると、ケース１２はケース１０１よりも薄型に構成することができる。ちなみに、係止体６６，１０５の撓み可能部分の長さＮを、長く構成するほどハウジング１７とグローブ１８と嵌め合わせを容易に行うことができるが、その分、ケース１２，１０１の厚みが厚くなってしまう。
【００４３】
よって、本実施形態のケース１２は、ハウジング１７とグローブ１８とを互いに移動不能に固定する係合機構（係止体６６及び引掛部６５）を好適に形成することができ、かつ薄型化できる。
【００４４】
（２）各係止体６６の基端部と側壁部３２とを一体に連結するリブ６７を形成した。ハウジング１７の引掛部６５には、リブ６７と係合する係合凹部７０を形成した。よって、リブ６７と係合凹部７０とが係合することにより、ハウジング１７とグローブ１８とを、短手方向Ｓにおいて好適に互いに移動不能に固定することができる。
【００４５】
（３）ケース１２は、係止体６６と引掛部６５とを互いに係合することにより、ハウジング１７の一端側Ｅ１とグローブ１８の一端側Ｅ１とを互いに移動不能に固定した。ケース１２は、掛止体７６と掛止部７５とを互いに係合することにより、ハウジング１７の他端側Ｅ２とグローブ１８の他端側Ｅ２とを互いに移動不能に固定した。即ち、ハウジング１７とグローブ１８とにおいて、一端側Ｅ１と他端側Ｅ２とが互いに固定されている。よって、ケース１２は、ハウジング１７とグローブ１８とが互いに離れにくく、剛性を好適に維持することができる。
【００４６】
（４）ハウジング１７の内底面２１ａには、その一端側Ｅ１とその他端側Ｅ２との間に位置する係合部７７を形成した。グローブ１８の内底面３１ｃには、その一端側Ｅ１とその他端側Ｅ２との間に位置する係合体７８を形成した。この係合部７７と係合体７８とを係合することにより、ハウジング１７の長手方向Ｌの中央部と、グローブ１８の長手方向Ｌの中央部とを互いに互いに移動不能に固定した。即ち、ハウジング１７とグローブ１８とにおいて、一端側Ｅ１、他端側Ｅ２、さらには一端側Ｅ１と他端側Ｅ２と中間である中央部が互いに固定されているため、この結果、照明装置１１は剛性をよりいっそう好適に維持することができる。
【００４７】
（５）枠体２６（グローブ１８）の底部３１の外縁部３１ａは斜状に形成されており、該外縁部３１ａの外縁を側壁部３２〜３５と一体に連結した。外縁部３１ａの内底面３１ｂに各係止体６６を形成した。枠体２６（グローブ１８）の底部３１の外縁部３１ａが面取りされた状態となっているため、見た目の厚さを実際より薄く見せることができる。また、枠体２６（グローブ１８）の底部３１の外縁部３１ａが斜状に形成されていることにより、それが斜状で無い場合に比してグローブ１８の側壁部３２〜３５の高さが低くなってしまう。しかしながら、本実施形態のケース１２においては、側壁部３２の端面に係止体６６を形成するのではなく、外縁部３１ａの内底面３１ｂに係止体６６を形成したため、枠体２６（グローブ１８）の底部３１の外縁部３１ａが斜状であっても、係止体６６を好適に形成することができる。
【００４８】
（６）外縁部３１ａ、側壁部３２、４つのリブ６７、３つの連結リブ６８により、凹状をなす３つのヒケ防止凹部６９を形成した。このため、枠体２６には、肉厚部分がないため、この枠体２６を樹脂成形により成形する場合に、ヒケ防止凹部６９に対応した枠体２６の外面にヒケが発生することを抑制することができる。
【００４９】
（７）照明装置１１は、上記（１）〜（６）の作用・効果を有するケース１２に、平面型放電管１３及び回路ユニット１５を収容したため、その装置自体を薄型化できる。
なお、前記実施形態は、以下の態様に変更してもよい。
【００５０】
・前記実施形態では、平面型放電管１３を用いて照明装置１１を構成していた。これに限らず、公知の円柱状をなす蛍光管を用いて照明装置１１を構成してもよい。蛍光管は発光体に相当する。また、有機ＥＬ(electro-luminescence)製の板状の発光体を用いて照明装置１１を構成してもよい。
【００５１】
・前記実施形態では、外縁部３１ａ、側壁部３２、リブ６７、連結リブ６８により、凹状をなすヒケ防止凹部６９を形成していた。これに限らず、このヒケ防止凹部６９内を埋めるように枠体２６を樹脂成形により成形してもよい。この場合、引掛部６５の上端を少し低く構成する。
【００５２】
・前記実施形態では、隣り合う係止体６６の基端部同士を一体に連結する連結リブ６８を形成していたが、これを省略してもよい。
・前記実施形態では、枠体２６（グローブ１８）の底部３１の外縁部３１ａは斜状に形成していたが、図１３の模式図に示すように底部３１を平面状に形成してもよい。ちなみに、底部３１を平面状に形成する場合には、側壁部３２〜３５を前記実施形態に比して長く構成する。
【００５３】
・前記実施形態では、ハウジング１７の内底面２１ａに第５係合部としての係合部７７を形成し、グローブ１８の内底面３１ｃに第６係合部としての係合体７８を形成していた。これに限らず、ハウジング１７の内底面２１ａに第５係合部としての係合体７８を形成し、グローブ１８の内底面３１ｃに第６係合部としての係合部７７を形成してもよい。また、ケース１２から第３係合機構６３を省略してもよい。
【００５４】
・前記実施形態では、ハウジング１７の側壁部２４に第３係合部としての掛止部７５を形成し、枠体２６（グローブ１８）の外縁部３１ａの内底面３１ｂに第４係合部としての掛止体７６を形成していた。これに限らず、ハウジング１７の内底面２１ａに第３係合部としての掛止体７６を形成し、枠体２６（グローブ１８）の側壁部３４に第４係合部としての掛止部７５を形成してもよい。また、ケース１２から第２係合機構６２を省略してもよい。
【００５５】
・前記実施形態では、係止体６６の基端部と側壁部３２とを一体に連結するリブ６７を形成していたが、これを省略してもよい。
・前記実施形態では、第２係合機構６２は、４つの掛止体７６を備えていたが、１個又は４個以外の複数個の掛止体７６を備えるようにしてもよい。
【００５６】
・前記実施形態では、第１係合機構６１は、４つの係止体６６を備えていたが、１個又は４個以外の複数個の係止体６６を備えるようにしてもよい。
・前記実施形態では、照明装置１１を、車両用の照明装置として具体化していたが、これに限らず、建物の屋内用照明装置または屋外用照明装置、街路用照明装置、卓上照明装置、照明看板等に具体化してもよい。
【００５７】
次に、上記実施形態及びその態様の変更から把握できる技術的思想について以下に追記する。
（イ）前記グローブの前記底部の外縁部は斜状に形成されており、該外縁部の外縁が前記側壁部と一体に連結されており、前記外縁部の内底面に前記第２係合部が設けられていることを特徴とする請求項１乃至請求項４のうちいずれか１項に記載の照明装置のケース。このように構成すると、グローブの底部の外縁部が面取りされた状態となっているため、見た目の厚さを実際より薄く見せることができる。また、グローブの底部の外縁部が斜状に形成されていることにより、それが斜状で無い場合に比してグローブの側壁部の高さが低くなってしまう。しかしながら、本発明においては、側壁部の端面に係止体を設ける（側壁部に引掛部を設ける）のではなく、グローブの側壁部より内側に係止体（引掛部）を設けるため、グローブの底部の外縁部が斜状であっても、係止体（引掛部）を好適に設けることができる。
【００５８】
（ロ）前記係止体は複数あり、前記各係止体の根本同士を繋ぐ連結リブを備え、前記各リブ、連結リブ、及び底部とにより一つ又は複数のヒケ防止凹部が形成されていることを特徴とする請求項２に記載の照明装置のケース。このように構成すると、ケースには、肉厚部分がないため、例えば、このケースを樹脂成形により成形する場合に、ヒケ防止凹部に対応したケースの外面にヒケが発生することを抑制することが可能となる。
【図面の簡単な説明】
【００５９】
【図１】（ａ）は、本実施形態の照明装置の正面図。（ｂ）は、本実施形態の照明装置の側面図。
【図２】本実施形態の照明装置の分解斜視図。
【図３】（ａ）は、図１（ａ）のＡ−Ａ線矢視断面図。（ｂ）は、レンズの内底面に形成された複数の四角錐状の窪部を示す部分拡大図。（ｃ）は、本実施形態の平面型放電管の原理を示す概略説明図。
【図４】本実施形態のハウジングの内底面側を示す斜視図。
【図５】本実施形態の枠体の内底面側を示す斜視図。
【図６】（ａ）は、引掛部を有するハウジングの部分斜視図。（ｂ）は、引掛部を有するハウジングの部分平面図。（ｃ）は、図６（ｂ）のＢ−Ｂ線矢視断面図。（ｄ）は、係止体を有する枠体の部分斜視図。（ｅ）は、係止体を有する枠体の部分平面図。（ｆ）は、図６（ｅ）のＣ−Ｃ線矢視断面図。
【図７】（ａ）は、引掛部と係止体との係合状態を示すケースの部分断面図。（ｂ）は、図７（ａ）のＤ−Ｄ線矢視断面図。
【図８】（ａ）は、図１（ａ）のＥ−Ｅ線矢視に対応し、掛止部と掛止体との係合状態を示すケースの部分断面図。（ｂ）は、図１（ａ）のＡ−Ａ線矢視に対応し、ハウジングの側壁部と枠体の側壁部との当接状態を示すケースの部分断面図。
【図９】係合部の形状を示すためのハウジングの部分断面図。
【図１０】互いに離間したハウジングと枠体とを示す部分断面図。
【図１１】係合部と係合体との係合状態を示すケースの部分断面図。
【図１２】（ａ）は、枠体の底部が平面状の場合におけるケースの模式図。（ｂ）は、本実施形態のケースの模式図。
【図１３】態様の変更におけるケースの模式図。
【図１４】従来技術におけるケースの模式図。
【符号の説明】
【００６０】
１１…照明装置、１３…発光体としての平面型放電管、１２…ケース、１７…ハウジング、１８…グローブ、２１…ハウジングの底部、２１ａ…ハウジングの内面としての内底面、３１…枠体の底部（グローブの底部）、３１ｃ…グローブの内面としての内底面、２２，２３，２４，２５…ハウジングの側壁部、２４ａ…ハウジングの内面としての内側面、３２，３３，３４，３５…枠体の側壁部（グローブの側壁部）、６５…第１係合部としての引掛部、６６…第２係合部としての係止体、６７…リブ、７０，７０ａ，７０ｂ…係合凹部、７５…第３係合部としての掛止部、７６…第４係合部としての掛止体、７７…第５係合部としての係合部、７８…第６係合部としての係合体、Ｅ１…一端側、Ｅ２…他端側。
【図１】
2006114392.tif 000003
【図２】
2006114392.tif 000004
【図３】
2006114392.tif 000005
【図４】
2006114392.tif 000006
【図５】
2006114392.tif 000007
【図６】
2006114392.tif 000008
【図７】
2006114392.tif 000009
【図８】
2006114392.tif 000010
【図９】
2006114392.tif 000011
【図１０】
2006114392.tif 000012
【図１１】
2006114392.tif 000013
【図１２】
2006114392.tif 000014
【図１３】
2006114392.tif 000015
【図１４】
2006114392.tif 000016